(57)【特許請求の範囲】
【請求項１】
上面に開口部があって穀物などの粉粒物が貯蔵される容器本体と、この容器本体の底壁における底頂部に形成された受容器嵌込み凹部に着脱自在に収まる受容器とを備えており、上記受容器嵌込み凹部に収まった状態の受容器の上面は受容器嵌込み凹部の上面と同じ高さ又はそれより低い置にあることを特徴とする粉粒物ストッカー。
【請求項２】
請求項１に記載した粉粒物ストッカーにおいて、受容器にその内側へ突出した摘みを設け、この摘みは受容器が受容器嵌込み凹部に収まった状態において少なくとも受容器嵌込み凹部の上面よりは低い位置にあることを特徴とする粉粒物ストッカー。
【請求項３】
請求項１又は２に記載した粉粒物ストッカーにおいて、受容器嵌込み凹部は少なくとも一つの垂直断面で底頂部がある形状にしたことを特徴とする粉粒物ストッカー。
【請求項４】
請求項１から３のいずれかに記載した粉粒物ストッカーにおいて、計量容器で掬った粉粒物をその計量容器の口で摺り切るための摺切り部を備えたことを特徴とする粉粒物ストッカー。
【発明の詳細な説明】
【０００１】
【発明の属する技術分野】
本発明は、穀物等の粉粒物を貯蔵する粉粒物ストッカーに係り、特に、貯蔵してある粉粒物の量が底を突いて来た状態でも、ほぼ１動作で残らず取り出すことができる粉粒物ストッカーに関するものである。
【０００２】
【従来の技術】
例えば、比較的簡易な構造の米びつは、上面が開口した容器本体とその上面を開閉する蓋部材などから構成されていて、中に貯蔵した米の取り出しは、口が円い計量カップ等で掬い出すことで行うようになっている。
このような米びつの形状は、蓋には幾つかの形態があるものの、容器本体の形状は上面が開口した箱形をしており、その底面はほぼ平坦になっている。
【０００３】
【発明が解決しようとする課題】
このような米びつは小型且つ軽量で、安価でもあるため、大変重宝するものではあるが、中の米が底を突いて来るとカップ、とりわけ、口が円い計量カップ等では上手く掬えなくなって、どうしても少なからぬ量が底に残ってしまう。
このように残った米は、隅に集めてスプーンなどでこまめに掬ったり、或いは、米びつ全体をひっくり返して適当な容器にあけるといった面倒なことをしない限り残らず取り出すことは不可能であり、その際、往々にして辺りに米をこぼしてしまったりする。
そうかといって、底に残った米を最後まで出し切らないでおくと、変質したり虫がわいたりして不衛生な結果になる。
【０００４】
本発明は上記した従来の問題点に鑑みて為されたものであり、容器本体の底に残った穀物などの粉粒物をほぼ１動作で残らず取り出すことができる新規な粉粒物ストッカーを提供することを目的とする。
【０００５】
【課題を解決するための手段】
この目的を達成するために、請求項１に記載した粉粒物ストッカーは、上面に開口部があって穀物などの粉粒物が貯蔵される容器本体と、この容器本体の底壁における底頂部に形成された受容器嵌込み凹部に着脱自在に収まる受容器とを備えており、上記受容器嵌込み凹部に収まった状態の受容器の上面は受容器嵌込み凹部の上面と同じ高さ又はそれより低い位置にあることを特徴とするものである。
【０００６】
このストッカーにおける容器本体の内底面はその底頂部に形成された受容器嵌込み凹部に向かって下り傾斜しているので、粉粒物が底を突いて来ると、残りの粉粒物は必然的に受容器に入っているものだけになってくる。あるいは、受容器に落ちていない僅かな粉粒物があってもそれらは手で簡単に受容器に掃き落すことができる。
【０００７】
従って、本発明粉粒物ストッカーによれば、粉粒物の貯蔵量が底を突いて来て残りの全てが受容器に収まる量まで減った場合は、この受容器を取り出すことで、粉粒物を残らず取り出すことができるので、底に残った粉粒物をスプーン等で掬ったり、容器をひっくり返したりしなくても、ほぼ１動作で、残りの粉粒物を簡単に取り出し切ることができる。特に、粉粒物が米や小麦粉などの食料である場合、古いものが常に残ってしまう心配をしなくて済む。
【０００８】
本発明において、受容器嵌込み凹部に収まった状態の受容器の上面は必ずしも受容器嵌込み凹部の上面と同じ高さである必要は無いが、これを受容器嵌込み凹部の上面と同じ高さにしておけば、カップなどで掬い出す際の邪魔にもならないし、最後に受容器を取り出す際に粉粒物がこぼれることも殆ど無い。
【０００９】
請求項２に記載した粉粒物ストッカーは、請求項１に記載した粉粒物ストッカーにおいて、受容器にその内側へ突出した摘みを設け、この摘みは受容器が受容器嵌込み凹部に収まった状態において少なくとも受容器嵌込み凹部の上面よりは低い位置にあることを特徴とするものである。
従って、この摘みを摘むことで受容器を容易に取り出すことができ、しかも、この摘みは受容器嵌込み凹部の上面よりは低い位置にあるため、粉粒物をカップなどで掬い出す際の邪魔になる虞れもない。
【００１０】
請求項３に記載した粉粒物ストッカーは、請求項１又は２に記載した粉粒物ストッカーにおいて、受容器嵌込み凹部は少なくとも一つの垂直断面で底頂部がある形状にしたことを特徴とするものである。
このようにすると、仮に、受容器を取り出す際にこぼれた粉状物が受容器嵌込み凹部に落ちても、その粉状物は、通常、受容器嵌込み凹部の底頂部に集まるので、スプーンなどで一掬いして簡単に取り出すことができる。
【００１１】
請求項４に記載した粉粒物ストッカーは、請求項１から３のいずれかに記載した粉粒物ストッカーにおいて、計量容器で掬った粉粒物をその計量容器の口で摺り切るための摺切り部を備えたことを特徴とするものである。
従って、粉粒物を当該計量容器に摺り切り一杯分で正確に掬う場合は、多少山盛りに掬った後、その計量容器の口を摺切り部で擦れば済むことになる。
【００１２】
【発明の実施の形態】
以下に、本発明粉粒物ストッカーを米びつ１に適用した実施の一形態を、図面に従って説明する。
この米びつ１は、容器本体３と、固定蓋２１と、開閉蓋２５及びトレイ状の受容器２７とから構成されており、これら部材はいずれも合成樹脂で各部一体に形成されている。
【００１３】
〔Ａ．容器本体〕（図１〜図４）
容器本体３は、上面の全体が開口５した比較的深い箱形をしており、平面形状はほぼ長方形を為し、周壁７は下方へ行くに従って内側へ寄るように多少傾斜すると共に、その上端部は外側へ張り出した枠様のフランジ７ａになっている。そして、容器本体３の底壁９はその中央に底頂部があるように緩やかに傾斜していて、この底頂部に受容器嵌込み凹部１１が形成されている。
【００１４】
受容器嵌込み凹部１１は両端が閉じた横樋形をしている。即ち、この受容器嵌込み凹部１１は、上方から見て容器本体３の長手方向に沿って長い長方形を為し、その底部は、図２に示すように、長手方向から見た垂直断面が下に向かって膨らんだ円弧形をしており、その開口部に上向きの段差面１１ａが形成されている。
底壁９の下面からは脚部１３が突出していて、受容器嵌込み凹部１１が床に着いて容器本体３の姿勢が不安定にならないようにしてある。
【００１５】
〔Ｂ．固定蓋、開閉蓋〕（図１、図３、図４）
固定蓋２１は、容器本体３の開口５の長手方向一端部を常時被うためのもので、その外周部の３辺を為すフランジ部２１ａが容器本体３のフランジ７ａの一端部にきっちり嵌合することで容器本体３に取り付けられる。
この固定蓋２１の上面のうちフランジ部２１ａが無い側部に沿う部分には指挿入凹部２１ｂが形成され、この指挿入凹部２１ｂの前側に防塵壁２１ｃが形成されている。また固定蓋２１の底面すなわち指挿入凹部２１ｂの裏面によって摺切り部２１ｄが構成されている。
【００１６】
開閉蓋２５は、容器本体３の開口５のうち固定蓋２１で覆われた部分以外の実質的開口部を開閉するためのもので、固定蓋２１と反対側の位置においてピン２９を介して容器本体３に回動自在に支持され、図３に二点鎖線で示すように上記実質的開口部を閉じた閉塞位置と、同図に実線で示すようにほぼ垂直姿勢になって実質的開口部を開放した開放位置との間を移動される。閉鎖位置に来ている開閉蓋２５を開くときは、指挿入凹部２１ｂに指先を入れて開閉蓋２５の回動端部を持ち上げる。
この開閉蓋２５の内面における回動端部寄りの位置からは摺切り部２５ａが突出している。この摺切り部２５ａは、計量カップ３１で掬った米Ｒをカップ３１の口で摺り切るためのもので、側方から見てほぼコ字形をしている。
【００１７】
〔Ｃ．受容器〕（図１〜図４）
受容器２７は、容器本体３に設けられている前記受容器嵌込み凹部１１にぴったり収まる大きさになっている。即ち、この受容器２７は、受容器嵌込み凹部１１よりひと回り小さい両端面が閉じた横樋形を為し、その開口部には全周に渡って延びる細い外フランジ２７ａが形成されていて、この外フランジ２７ａが受容器嵌込み凹部１１の段差面１１ａに載ることで、該受容器嵌込み凹部１１にぴったり収まる。従って、受容器２７が受容器嵌込み凹部１１に収まった状態では、受容器２７の上面は容器本体３の内底面すなわち底壁９の上面９ａにおける底頂部と同じ高さに位置する。
【００１８】
受容器２７にはその長手方向における中間部を横切るように延びた摘みバー２７ｂが一体に形成されている。この摘みバー２７ｂは受容器２７の開口面より稍低いところにある。
米びつ１は以上のように構成されている。
【００１９】
〔Ｄ．使用方法〕（図３〜図４）
次に、米びつ１の使用方法を説明する。
容器本体３に米Ｒを貯蔵する際は、予め、受容器２７を受容器嵌込み凹部１１にきちんと納めておく。従って、受容器２７は容器本体３に貯蔵された米Ｒの底に潜り、当然、この受容器２７は米Ｒで満たされる。
容器本体３内に米Ｒがまだ十分残っている場合は、計量カップ３１で必要な量を掬っては取り出す。計量カップ３１に掬い取った米Ｒは、計量カップ３１の口３１ａを図３に一点鎖線で示すように前倒れにした開閉蓋２５の摺切り部２５ａで摺ることにより、又は、同図に実線で示すように固定蓋２１の底面によって構成される摺切り部２１ｄで摺ることによって、当該計量カップ３１に摺り切り一杯分の量になる。
【００２０】
また、容器本体３内の米Ｒが底を突いて来た場合は、図４に示すように、受容器２７の開口部辺りの米Ｒを計量カップ３１で掬い出した後、底壁９上に残っている米Ｒを受容器２７に掃き落すことで、残りの米Ｒを全て受容器２７に回収する。この状態から、受容器２７を同図に二点鎖線で示すように取り出す。この取出しは、摘みバー２７ｂを指先で摘んで行う。これにより、通常は、容器本体３内の米Ｒが一粒残らずきれいに取り出される。
取り出した受容器２７は米Ｒを出して受容器嵌込み凹部１１に戻しておく。
【００２１】
尚、底壁９上に掃き残した米や、受容器２７を取り出す際にここからこぼれた米などが受容器嵌込み凹部１１に落ちた場合、その米は必然的に受容器嵌込み凹部１１の底頂部に集まるので、その程度の量であればスプーンなどで１回できれいに掬い取ることができる。
【００２２】
以上、本発明の実施の形態を説明したが、本発明の具体的構成がこの実施の形態に限定されるものでは無く、本発明の要旨から外れない範囲での設計変更等があっても本発明に含まれる。
例えば、実施の形態においては、受容器の全体が受容器嵌込み凹部にぴったり収まるようにしたが、この受容器はその開口部が受容器嵌込み凹部にぴったり嵌る形状であれば、必ずしも全体がぴったり収まる必要は無い。
実施の形態ではトレイ状の受容器を示したが、本発明はこれに限定されず、椀状等、他の形状の受容器であってもよい。
【００２３】
また、本発明における容器本体の形状や受容器の形状が実施の形態に示したものに限られることは無く、場合によっては、受容器を内外二重構造にして、受容器内の粉粒物のこぼれ落ちを確実に防止することも考えられる。
そして、本発明は、米びつに限らず、粒状又は粉状の各種の物を貯蔵するための粉粒物ストッカーとして広く適用することができ、粉粒物は工業材料などであっても良い。
【００２４】
【発明の効果】
以上のように、本発明によれば、粉粒物の貯蔵量が底を突いて来て残りの全てが受容器に収まる量まで減った場合は、この受容器を取り出すことで、残りの粉粒物を余すところ無く取り出すことができる。
【００２５】
請求項２の発明によれば、受容器の摘みを摘むことでこの受容器を容易に取り出すことができ、しかも、この摘みは受容器嵌込み凹部の上面よりは低い位置にあるため、粉粒物をカップなどで掬い出す際の邪魔になる虞れもない。
【００２６】
請求項３の発明によれば、仮に、受容器を取り出す際にこぼれた粉状物が受容器嵌込み凹部に落ちても、その粉状物は、通常、受容器嵌込み凹部の底頂部に集まるので、スプーンなどで一掬いして簡単に取り出すことができる。
【００２７】
請求項４の発明によれば、粉粒物を当該計量容器に摺り切り一杯分で正確に掬う場合は、多少山盛りに掬った後、その計量容器の口を摺切り部で擦れば済むことになる。
【図面の簡単な説明】
【図１】本発明の実施の形態に係る粉粒物ストッカーの全体斜視図である。
【図２】図１のＡ−Ａ線に沿って切断した要部拡大断面図である。
【図３】図１に示す粉粒物ストッカーの、貯蔵量が多い状態での使用方法を説明するための断面図である。
【図４】図１に示す粉粒物ストッカーの、貯蔵量が底を突いた状態での使用方法を説明するための断面図である。
【符号の説明】
１…粉粒物ストッカー    ３…容器本体    ５…開口部    ９…底壁
１１…受容器嵌込み凹部    ２１ｄ…摺切り部    ２５ａ…摺切り部
２７…受容器    ２７ｂ…摘み    Ｒ…粉粒物
【図１】
0004603173.tif 000002
【図２】
0004603173.tif 000003
【図３】
0004603173.tif 000004
【図４】
0004603173.tif 000005